(57)【要約】【課題】被検者の視空間内における無視領域を３次元的に定量把握することができる視覚認知機能評価システムを提供する。【解決手段】視覚認知機能評価システム１０は、オブジェクト２２を含む３次元のテスト画像２０を被検者に立体表示する表示装置１２と、表示装置１２に繋がる処理装置１３と、被検者によるオブジェクト２２の認知可否に関する回答を処理装置１３に入力する入力装置１１とを備える。処理装置１３は、表示装置１２でのテスト画像２０の表示状態を制御する表示制御手段１５と、回答に基づき３次元空間内での無視領域を特定する無視領域特定手段１６とを備える。表示制御手段１５では表示点Ｐの３次元位置が経時的に異なるように表示制御する。無視領域特定手段１６では、オブジェクト２２が認知不能と回答された表示点Ｐの位置と、その隣で認知可能と回答された表示点Ｐの位置とに基づいて認知領域と無視領域の境界部分の３次元位置情報を求める。【選択図】          図１
2020156956.tif 000002
【特許請求の範囲】
【請求項１】
視空間認知障害を有する被検者が視空間内の物体を認知できない無視領域と、前記被検者が前記物体を認知可能な認知領域とを３次元的に把握し、前記被検者の無視症状を評価するための視覚認知機能評価システムであって、
前記被検者が立体視可能となるように、所定のオブジェクトを含む３次元のテスト画像を表示する表示装置と、当該表示装置に繋がって所定の処理を行う処理装置と、前記被検者による前記オブジェクトの認知可否に関する回答を前記処理装置に入力する入力装置とを備え、
前記処理装置は、前記表示装置での前記テスト画像の表示状態を制御する表示制御手段と、前記回答に基づき、前記被検者の目前の３次元空間内での前記無視領域を特定する無視領域特定手段とを備え、
前記表示制御手段では、前記被検者の立体視における前記オブジェクトの表示点の３次元位置が経時的に異なるように前記オブジェクトを前記表示装置に表示させ、
前記無視領域特定手段では、前記オブジェクトが認知不能と回答されたときの前記表示点の位置と、その隣で前記オブジェクトを認知可能と回答されたときの前記表示点の位置とに基づいて、前記認知領域と前記無視領域の境界部分の３次元位置情報を求めることを特徴とする視覚認知機能評価システム。
【請求項２】
前記表示制御手段では、前記被検者の目前の高さと前記被検者からの離間距離が同一の範囲において、前記認知不能との回答が得られるまで、前記オブジェクトを前記被検者の目前中央位置から側方位置に向かって次第に移動させることを特徴とする請求項１記載の視覚認知機能評価システム。
【請求項３】
前記表示制御手段では、前記高さと前記離間距離が同一の範囲において、最初に前記中央位置の前記表示点に前記オブジェクトを表示させ、その際に前記認知不能と回答された場合に、前記認知可能との回答が得られるまで、前記オブジェクトを前記被検者の右方に移動させることを特徴とする請求項２記載の視覚認知機能評価システム。
【請求項４】
前記表示制御手段では、前記高さと前記離間距離の異なる前記表示点で前記オブジェクトをランダムに表示させることを特徴とする請求項２記載の視覚認知機能評価システム。
【請求項５】
前記無視領域特定手段では、前記被検者の目前の高さと前記被検者からの離間距離が同一の範囲において、前記認知不能と回答された前記表示点の位置と、その隣で前記認知可能と回答された前記表示点の位置との間を前記無視領域の境界点とすることを特徴とする請求項１記載の視覚認知機能評価システム。
【請求項６】
前記無視領域から、前記視空間内における認知状態を定量評価するための指標値を算出する無視症状評価手段を更に備え、
前記無視症状評価手段では、前記指標値として、前記視空間内に存在する物体を認知可能な角度範囲を表す認知角、予め設定された健常者の前記認知角から前記被検者の認知角を減算した無視角度、前記視空間内の所定平面における前記無視領域の面積、及び／又は、前記無視領域の体積が求められることを特徴とする請求項１記載の視覚認知機能評価システム。
【請求項７】
前記無視領域から、前記視空間における認知状態を定量評価するための指標値を算出する無視症状評価手段を更に備え、
前記無視症状評価手段では、前記指標値として、前記被検者の認知機能に関する指標となる認知比と、前記被検者の運動機能に関する指標となる探索比とが求められ、
前記認知比は、前記被検者の頭部を固定した頭部固定時において、前記視空間内に存在する物体を認知可能な角度範囲を表す認知角についての前記健常者に対する前記被検者の比であり、
前記探索比は、前記被検者の頭部を動作可能な頭部非固定時において、前記頭部固定時の前記認知角から、前記健常者と同等の認知範囲を確保するために前記被検者に要求される回旋角度となる要求探索角と、前記頭部固定時と前記頭部非固定時におけるそれぞれの前記認知角の角度差となる運動認知角との比であることを特徴とする請求項１記載の視覚認知機能評価システム。
【発明の詳細な説明】
【技術分野】
【０００１】
本発明は、視覚認知機能評価システムに係り、更に詳しくは、半側空間無視患者等の視空間認知障害を有する被検者が目前に存在する物体を認知できない無視領域について、３次元の立体空間での定量的な評価を可能にする視覚認知機能評価システムに関する。
【背景技術】
【０００２】
脳血管障害に起因する高次脳機能障害の一つとして、脳の病巣の反対側に存在する刺激を無視する半側空間無視と呼ばれる視空間認知障害がある。例えば、右脳損傷による半側空間無視の患者は、自身の視空間のうち左側の空間に存在する対象を無視してしまい、ドアを通り抜けるときにドアの左側にぶつかり、印刷物の左側を読むことができず、食事のときに左側のおかずに気が付かない等の支障が生じる。この半側空間無視の症状としては、患者の近傍における近位空間での無視（近位空間無視）と、同遠方における遠位空間での無視（遠位空間無視）と、これら各空間双方における無視とが存在すると言われている。
【０００３】
半側空間無視患者に対しては、視野を拡張させるための様々なリハビリテーションがなされることになるが、当該リハビリテーションにおいては、各患者の無視状態を把握する必要がある。そのため、従来から、半側空間無視の状態把握のための検査として、行動性無視検査（ＢＩＴ）と呼ばれる検査が採用されている。ＢＩＴでは、様々な線図が描かれたテスト用紙を被検者の目前に置き、被検者が視覚を通じて認知できる部分を回答して貰うことで、被検者における半側空間無視の状態が評価される。しかしながら、ＢＩＴは、紙面を用いた机上テストであり、被検者との間の一定距離における平面的且つ限定的な近位空間無視の評価しかできず、遠位空間を含めた立体空間全体における無視評価を行うことができない。従って、ＢＩＴによる検査では、被検者の目前の視空間において認知不能となる無視領域が、どの範囲で生じているのかが不明瞭となる。このため、患者に対するリハビリテーションを感覚的に行わざるを得ず、無視領域を減少させるためのリハビリテーションを効果的に行うことができない。また、神経心理学等の医学的知見によれば、近位空間と遠位空間では脳中枢の責任領域が異なることから、近位空間と遠位空間それぞれに特化した無視評価が必要になる。
【０００４】
ところで、特許文献１には、半側空間無視等の視空間認知障害の程度や内容を検査する視覚認知検査システムが開示されている。このシステムでは、被検者に立体像を提示し、当該立体像の位置を入力することで、健常者による結果と対比し、被検者の障害の程度が検出される。
【先行技術文献】
【特許文献】
【０００５】
【特許文献１】特開２０１１−２１２４３０号公報
【発明の概要】
【発明が解決しようとする課題】
【０００６】
しかしながら、前記特許文献１のシステムでは、被検者が立体像の存在を認知することが前提であって、当該認知時における立体像と被検者の両眼の中心との距離を求め、当該距離に応じて患者の障害の程度を判定するものであり、無視領域を立体的に特定するものではない。従って、前記特許文献１のシステムにおいても、被検者の視空間において、無視領域がどの程度の空間範囲に存在しているか等の空間無視状況について具体的に把握することができず、当該状況把握に応じた効果的なリハビリテーションを行うことができない。
【０００７】
本発明は、このような不都合に着目して案出されたものであり、その目的は、被検者の視空間内における無視領域を３次元的に定量把握することができる視覚認知機能評価システムを提供することにある。
【課題を解決するための手段】
【０００８】
前記目的を達成するため、本発明は、主として、視空間認知障害を有する被検者が視空間内の物体を認知できない無視領域と、前記被検者が前記物体を認知可能な認知領域とを３次元的に把握し、前記被検者の無視症状を評価するための視覚認知機能評価システムであって、前記被検者が立体視可能となるように、所定のオブジェクトを含む３次元のテスト画像を表示する表示装置と、当該表示装置に繋がって所定の処理を行う処理装置と、前記被検者による前記オブジェクトの認知可否に関する回答を前記処理装置に入力する入力装置とを備え、前記処理装置は、前記表示装置での前記テスト画像の表示状態を制御する表示制御手段と、前記回答に基づき、前記被検者の目前の３次元空間内での前記無視領域を特定する無視領域特定手段とを備え、前記表示制御手段では、前記被検者の立体視における前記オブジェクトの表示点の３次元位置が経時的に異なるように前記オブジェクトを前記表示装置に表示させ、前記無視領域特定手段では、前記オブジェクトが認知不能と回答されたときの前記表示点の位置と、その隣で前記オブジェクトを認知可能と回答されたときの前記表示点の位置とに基づいて、前記認知領域と前記無視領域の境界部分の３次元位置情報を求める、という構成を採っている。
【発明の効果】
【０００９】
本発明によれば、無視領域特定手段により、認知領域と無視領域の境界部分の３次元位置が特定されるため、被検者の視空間内における無視領域の存在を３次元的に定量把握することができる。従って、近位空間無視や遠位空間無視等に対応したリハビリテーションのように、視空間内における無視空間の存在状況によって異なるリハビリテーションを効果的に被検者に施すことが可能となる。また、無視領域の範囲の３次元位置をデータ化することができ、リハビリテーション前後での無視領域の存在状況を対比することで、リハビリテーション後の治療効果を定量的に把握可能となる。更に、無視領域を３次元的にビジュアル化することが可能となり、被検者である患者やリハビリテーションを担当する療法士等に、患者の無視空間を分かり易く提示することが可能となる。更に、無視領域の位置情報が自動的に特定されるため、他の治療支援システムへのデータの受け渡しも可能となる。
【図面の簡単な説明】
【００１０】
【図１】本実施形態に係る視覚認知機能評価システムの構成を表すブロック図である。
【図２】（Ａ）〜（Ｃ）は、オブジェクトの経時的な表示変化を説明するためのテスト画像を表す図である。
【図３】（Ａ）は、空間座標を表す概念図であり、（Ｂ）は、（Ａ）と別の角度から見た空間座標を表す概念図である。
【図４】平面座標を表す概念図である。
【図５】（Ａ）は、平面座標の左側領域での無視領域の境界点の設定を説明するための図であり、（Ｂ）は、平面座標の右側領域での無視領域の境界点の設定を説明するための図である。
【図６】（Ａ）〜（Ｃ）は、同一の被検者に対する３箇所の平面座標での無視領域の表示例を表す図である。
【図７】認知角を説明するための図。
【発明を実施するための形態】
【００１１】
以下、本発明の実施形態について図面を参照しながら説明する。
【００１２】
図１には、本実施形態に係る視覚認知機能評価システムの構成を表すブロック図が示されている。この図において、前記視覚認知機能評価システム１０は、被検者の視空間認知障害の状態を定量的に評価するためのシステムであって、本実施形態では、半側空間無視症状を有する患者に対して、視空間内で物体を認知できる認知領域と認知できない無視領域とを３次元的に把握可能にするシステムとなっている。
【００１３】
この視覚認知機能評価システム１０は、被検者となる患者若しくは当該患者に付き添う療法士等の入力者が各種情報をシステム内に入力するための入力装置１１と、所定のオブジェクトを含む３次元のテスト画像を被検者に立体的に提示可能な表示装置１２と、表示装置１２に繋がって所定の処理を行う処理装置１３とを備えている。
【００１４】
前記入力装置１１には、表示装置１２から被検者に提示されるテスト画像内のオブジェクトについて、被検者が視覚を通じて認知できたか否かの回答を含む各種情報が入力され、当該入力された情報は、処理装置１３に送信されるようになっている。なお、入力装置１１としては、各種情報の入力及び送信が可能である限りにおいて、ボタン、ペダル、キーボード、タッチパネル、マウス等、入力者の身体操作により情報を入力可能な各種入力機器や、被検者等の視線の動きをカメラで追跡し当該動きに応じて情報を入力する視線入力装置等を含む種々の入力デバイスの採用が可能である。ここで、視線入力装置を用いた場合には、入力者の手動による情報入力が不要となり、システムを起動するだけで認知領域の検出が可能となる。
【００１５】
前記表示装置１２は、被検者の頭部に装着されるヘッドマウントディスプレイからなり、処理装置１３から送られるテスト画像を被検者の目前で立体視可能に提示する公知の構造のものが用いられる。なお、表示装置１２としては、テスト画像を被検者に３次元的に提示できる限りにおいて、他の機器類を採用することもできる。
【００１６】
前記処理装置１３は、ＣＰＵ等の演算処理装置及びメモリやハードディスク等の記憶装置等からなるコンピュータからなり、当該コンピュータを以下の各手段として機能させるためのプログラムがインストールされている。
【００１７】
この処理装置１３は、予め記憶されたテスト画像を表示装置１２に送信し、且つ、表示装置１２でのテスト画像の表示状態を制御する表示制御手段１５と、入力装置１１で入力された回答に基づいて、被検者の目前における３次元空間内で被検者が物体を認知できない無視領域を特定する無視領域特定手段１６と、無視領域特定手段１６で特定された無視領域から被検者の無視症状を評価する無視症状評価手段１７と、無視領域特定手段１６及び無視症状評価手段１７で得られたデータを外部の装置、機器及び／又はシステムに出力する出力手段１８と、を含んで構成されている。
【００１８】
前記表示制御手段１５では、予め設定された没入型の３次元の仮想現実空間（以下、「ＶＲ空間」と称する）を一人称視点から被検者が視認可能となるように、図２に例示されるようなテスト画像２０が表示装置１２に送信される。このテスト画像２０は、特に限定するものではないが、所定の背景画像２１と、当該背景画像２１に重畳され、背景画像２１内を移動する球状のオブジェクト２２とからなる。
【００１９】
前記オブジェクト２２は、同図（Ａ）〜（Ｃ）に示されるように、表示装置１２を通じて被検者が立体視するときの３次元位置が、背景画像２１に対して経時的にランダムに変化するように被検者に提示される。また、このオブジェクト２２は、後述する提示ルールに基づいて、ＶＲ空間内で予め設定された複数の表示点のうちの何れか１箇所の位置でランダムに表示され、当該位置に表示されたオブジェクト２２に対する認知可否の回答がなされた後で、他の異なる位置の表示点で表示されるようになっている。なお、オブジェクト２２は、被検者の正確な無視領域評価を行う上で阻害要因となる視覚誘導を起こさないように、出現順序をランダムとしている。
【００２０】
本実施形態においては、ＶＲ空間内に設定された３次元の空間座標Ｓ（図３参照）内に予め設定された表示点の何れかでオブジェクト２２が表示される。ここでの空間座標Ｓは、被検者が表示装置１２を装着した際に、その体幹中心における眼球位置を原点Ｏとする座標系であり、当該原点ＯからＶＲ空間内の奥行方向に向かって異なる傾斜角度で配置された平面座標Ｆからなる。この平面座標Ｆは、特に限定されるものではないが、被検者の目線高さを基準にして、−４度、０度、４度の傾斜角をなす３段階の高さに設定される。
【００２１】
前記各平面座標Ｆは、図４に示されるように、原点Ｏからの離間距離と、原点Ｏを中心とした回転角度とを成分とする極座標系からなる。ここで、表示点Ｐは、同図において、所定の回転角度毎に原点Ｏから奥行方向に放射状に延びる複数の角度直線Ｌと、相互に異なる所定離間距離毎に、当該離間距離を半径として原点Ｏ回りに同心円状に配置された距離円Ｃとの交点に設定される。角度直線Ｌは、身体の中央から真正面に向かってに延びる正中位線Ｌ０を挟んで左右両側の領域に所定の回転角度（偏角）毎に左右対称に配置されている。図示例では、角度直線Ｌが、間隔１８度毎に１本ずつ、プラスマイナス９０度の偏角まで設けられている。また、距離円Ｃは、一定間隔毎に１本ずつ設けられており、距離（半径）の異なる７種類が設定されている。つまり、表示点Ｐは、一定間隔となる原点Ｏからの複数の離間距離において、一定間隔の複数の偏角毎にそれぞれ１箇所設定される。
【００２２】
なお、前記空間座標Ｓとしては、前述の構成に限定されるものではなく、平面座標Ｆの構成や配置態様を変え、或いは、球面の極座標等、他の構成の座標系を採用することもできる。
【００２３】
そこで、前記オブジェクト２２は、ＶＲ空間内における所定の１箇所の表示点Ｐに表示される。そして、当該表示点Ｐ上のオブジェクト２２を被検者が認知したか否かが入力装置１１に入力され、その後、他の位置における１箇所の表示点Ｐにオブジェクト２２に表示される。オブジェクト２２の表示順は、各平面座標Ｆ上における表示点Ｐ間において、次の提示ルールに従う限りその他はランダムとされ、各平面座標Ｆについて、原点Ｏからの全ての離間距離毎に、被検者の身体中央から横方向にどこまでの角度範囲で被検者がオブジェクト２２を認知可能かが検出されるまでオブジェクト２２の表示が継続される。
【００２４】
前記提示ルールとしては、例えば、先ず、最初に、各平面座標Ｆにおける正中位線Ｌ０における何れかの表示点Ｐにおいて、オブジェクト２２がランダムに表示される。そして、各平面座標Ｆ内での正中位線Ｌ０上の各表示点Ｐそれぞれについて、入力装置１１を通じて認知可能と回答された場合に、次のようにオブジェクト２２を移動表示させる。つまり、平面座標Ｆ内での同一の離間距離において、被検者の左側となる左隣に存在する表示点Ｐにオブジェクト２２を表示させる。この場合の当該同一の離間距離におけるオブジェクト２２の表示は、認知不能と回答されるまで左側に１箇所ずつ表示点Ｐをシフトしながら行われる。
【００２５】
一方、各平面座標Ｆ内での正中位線Ｌ０上の各表示点Ｐそれぞれについて、最初に認知不能と回答された場合には、平面座標Ｆ内での同一の離間距離において、被検者の右側となる右隣に存在する表示点Ｐにオブジェクト２２を表示させる。この場合の当該同一の離間距離におけるオブジェクト２２の表示は、認知可能と回答されるまで右側に１箇所ずつ表示点Ｐをシフトしながら行われる。
【００２６】
以上の提示ルールは、半側空間無視の性質上、身体中心線を基準に左側の空間を無視することが多いため、オブジェクト２２の初期出現位置を偏角０度とし、各離間距離における回答に応じて次の出現位置を無視側（左側）、或いは、非無視側（右側）に移動するアルゴリズムとなっている。これにより、体力が著しく低下している脳卒中患者等の被検者についても、無視領域を効率良く特定することができ、当該特定のための前述の測定時間の短縮化を図ることができる。
【００２７】
前記無視領域特定手段１６では、平面座標Ｆ毎に特定される各高さｈと、各平面座標Ｆそれぞれの各離間距離ｒにおいて、オブジェクト２２が最後に表示された表示点Ｐの３次元位置情報から、認知領域と無視領域の境界部分の３次元位置情報を求めるようになっている。すなわち、図５に示されるように、同一の平面座標Ｆにおいて、オブジェクト２２が最後に表示された表示点Ｐと、同一の離間距離ｒにおけるその前に表示された隣の表示点Ｐとの中間の角度に存在する点が、当該離間距離ｒにおける認知可否の境界点ＢＰとされる。つまり、図５（Ａ）に示されるように、平面座標Ｆの左側領域の境界点ＢＰは、同一の離間距離ｒにおいて、最初に認知不能と回答された表示点Ｐ（同図中黒丸）と、その前にその隣で認知可能と回答された表示点Ｐ（同図中白丸）との間の位置に決定される。一方、同図（Ｂ）に示されるように、平面座標Ｆの右側領域の境界点ＢＰは、同一の離間距離ｒにおいて、最初に認知可能と回答された表示点Ｐ（同図中白丸）と、その前にその隣で認知不能と回答された表示点Ｐ（同図中黒丸）との間の位置に決定される。
【００２８】
この境界点ＢＰは、ＶＲ空間内の各高さｈ、各離間距離ｒにおいて、それぞれ１箇所ずつ特定され、各平面座標Ｆにおいて、図５中上下に隣り合う各境界点ＢＰを結んだ点が認知領域と無視領域の境界線ＢＬとなる。更に、各平面座標Ｆで特定された境界線ＢＬを含む面が、認知領域となる認知空間と無視領域となる無視空間の境界面とされる。この結果、３次元空間内における無視領域の位置範囲が特定され、当該位置範囲に基づく各種データが出力手段１８から出力可能となる。この出力データに基づいて、例えば、図示しないリハビリテーション機器やシステム等に、無視空間の位置データの提供等が可能になる。また、図６（Ａ）〜（Ｃ）に示されるように、他の表示装置を利用し、同一被検者における３箇所の座標平面Ｆ毎の無視領域（同図中黒塗部分）のグラフィック表示や、図３に示されるように、無視空間（同図中濃色部分）について、プロジェクションマッピング等による表示が可能になる。
【００２９】
前記無視症状評価手段１７では、無視領域特定手段１６で特定された無視領域内の位置データにより、被検者の視空間における認知状態を定量評価するための指標値を算出するようになっている。
【００３０】
前記指標値としては、特に限定されるものではないが、人間の視覚が作用する視空間内に存在する物体を認知可能な角度範囲を表す認知角、予め設定された健常者の認知角から被検者の認知角を減算した無視角度、各平面座標Ｆにおける無視領域の面積、及び／又は、各平面座標Ｆにおける無視領域を含む無視空間の体積等が挙げられる。
【００３１】
前記認知角や前記無視角度は、各平面座標Ｆの各境界点ＢＰそれぞれについて求められる。また、健常者の認知角（視野角）は、１２０度として予め記憶されている。ここで、認知角は、前述した半側空間無視の性質上、被検者の左側空間の認知度が低下することから、右側空間からの認知範囲を表すように次のように定義される。すなわち、図７に示されるように、認知角θは、平面座標Ｆ内での健常者の認知範囲（同図中網掛部分）における右側の境界線、すなわち、健常者の認知角を１２０度としたときに平面座標Ｆにおける横軸から３０度回転した直線と、原点Ｏと境界点ＢＰを結ぶ直線との間でなす角度とされる。
【００３２】
また、前記指標値としては、健常者と対比した被検者の認知機能に関する指標となる認知比と、健常者と対比した被検者の運動機能に関する指標となる探索比とが、各平面座標Ｆにおける境界点ＢＰ毎に求められる。
【００３３】
前記認知比は、被検者の頭部を固定した条件で前述の手順による境界点ＢＰの測定を行った頭部固定時において、各オブジェクト２２の認知可否の回答結果により求められた各境界点ＢＰの座標から算出される値であり、健常者の認知角（１２０度）に対する被検者の認知角θの比となる。
【００３４】
前記探索比は、被検者の頭部を動作可能とする条件で前述の手順による境界点ＢＰの測定を行った頭部非固定時において、各オブジェクト２２の認知可否の回答結果によって求められた各境界点ＢＰの座標をも用いて算出される値である。この探索比は、後述するように、認知の程度に応じて被検者に要求される探索運動能力を表す要求探索性に対応した要求探索角と、被検者の実際の探索運動能力を表す探索性に対応した運動認知角との比となる。
【００３５】
ここで、前記要求探索角は、健常者と同等の認知範囲を確保するように、すなわち、頭部の正面側から左右両側までの１８０度の角度範囲内での空間認知を可能にするために、頭部固定時に認知角θとなる被検者の認知機能下において、回旋運動に係る回旋角度が何度必要かを表す。例えば、健常者が必要となる回旋角度は、前述したように認知角が１２０度とされることから、左右各３０度となる。従って、頭部固定時における高さｈ、離間距離ｒにおける認知角をθｈｒとしたときに、要求探索角ｇ（θｈｒ）は、次式で表される。
ｇ（θｈｒ）＝１５０−θｈｒ
【００３６】
また、運動認知角は、前述の頭部固定時と頭部非固定時において、各高さｈ及び各離間距離ｒでそれぞれ求められた各認知角の角度差φｈｒであり、高さｈ、離間距離ｒにおける探索比は、φｈｒ／ｇ（θｈｒ）で求められる。
【００３７】
このように、認知比及び探索比を求めることにより、患者の認知機能と運動機能のどちらに欠陥があるのかを容易に推定することが可能となる。すなわち、患者の認知機能の程度により、当該患者に必要となる運動機能が異なり、必要となる要求探索角が異なる。このため、単純な患者の動きの検証のみでは、認知領域をどれだけカバーできているかが不明であるが、認知比及び探索比を使って評価することにより、認知機能と運動機能のどちらを強化すれば良いかが明確になり、当該強化ポイントに特化した効果的なリハビリテーションが可能となる。
【００３８】
なお、認知比及び探索比については、各高さｈ及び／又は離間距離ｒ毎に、それらの値を乗じ、或いは、全ての値を乗じること等によって、認知比及び探索比を総合した指標値を算出する等、無視評価全般に関するスコアリングも可能となる。
【００３９】
また、前記実施形態では、視覚認知機能評価システム１０を半側空間無視患者の視覚認知評価用として用いたが、本発明はこれに限らず、他の同様の認知障害を有する患者に対する視覚認知評価に用いることも可能である。
【００４０】
その他、本発明における装置各部の構成は図示構成例に限定されるものではなく、実質的に同様の作用を奏する限りにおいて、種々の変更が可能である。
【符号の説明】
【００４１】
１０  視覚認知機能評価システム
１１  入力装置
１２  表示装置
１３  処理装置
１５  表示制御手段
１６  無視領域特定手段
１７  無視症状評価手段
２０  テスト画像
２２  オブジェクト
Ｐ  表示点
Ｂｐ  境界点
【図１】
2020156956.tif 000003
【図２】
2020156956.tif 000004
【図３】
2020156956.tif 000005
【図４】
2020156956.tif 000006
【図５】
2020156956.tif 000007
【図６】
2020156956.tif 000008
【図７】
2020156956.tif 000009